(57)【特許請求の範囲】
【請求項１】
ベッド（Ｂ）の側面フレーム（１）の中間部位に軸受部（４）を有するホルダー（２）を設けて、該ホルダー（２）に、上部半径方向に水平軸棒（３ｂ）を突設した逆Ｌ字型回転支柱（３）の垂直軸（３ａ）の下部を、前記垂直軸（３ａ）と前記軸受部（４）との間に設けた回動機構（４ａ）を介して前記水平軸棒（３ｂ）を垂直軸（３ａ）を中心として回動自在に保持し、
前記ホルダー（２）には、前記側面フレーム（１）に対して前記垂直軸（３ａ）が直立状態と前記側面フレーム（１）に添って略水平状態とになるように、前記垂直軸（３ａ）を保持した前記軸受部（４）の下部に設けた枢支部（１６ａ）を前記ホルダー（２）に設けた枢支部（１５ａ）に枢支して、該枢支部（１５ａ）を中心として回動可能とする転倒機構（８）と、前記側面フレーム（１）に対して前記垂直軸（３ａ）を直立状態に保持可能とする直立保持機構（９）とを備え、
前記水平軸棒（３ｂ）には滑車（５）を取着してロープ（６）を吊り、そのロープ（６）の先端部には被介護者（Ｃ）を載せるブランコ型の帯席（７）を着脱可能に吊るとともに基端部はベッド（Ｂ）の下部に設けたウインチ（１２）に巻き着け、そのウインチ（１２）の駆動モーター（１１）からそのモーター（１１）の電源回路に組込だフットスイッチ（１４）を導出して足踏み動作により前記帯席（７）の昇降制御ができるようにして成るベッドにおける被介護者吊り移動装置。
【請求項２】
ベッド（Ｂ）の側面フレーム（１）の中間部位に軸受部（４）を設けて、該軸受部（４）に、上部半径方向に水平軸棒（３ｂ）を突設した逆Ｌ字型回転支柱（３）の垂直軸（３ａ）の下部を、前記垂直軸（３ａ）と前記軸受部（４）との間に設けた回動機構（４ａ）を介して前記水平軸棒（３ｂ）を垂直軸（３ａ）を中心として回動自在に保持し、
前記軸受部（４）には、前記側面フレーム（１）に対して前記垂直軸（３ａ）が直立状態と前記側面フレーム（１）に添って略水平状態とになるように、前記垂直軸（３ａ）を保持した前記軸受部（４）の下部をベッド（Ｂ）の底面に向けて直角に折り曲げて該折り曲げられた部分に枢支部（１６）を設けるとともに該枢支部（１６）をベッド（Ｂ）底面のフレームに設けた枢支部（１５）に枢支して、該枢支部（１５）を中心として回動可能とする転倒機構（８）と、前記側面フレーム（１）に対して前記垂直軸（３ａ）を直立状態に保持可能とする直立保持機構（９）とを備え、
前記直立保持機構（９）が、ベッド（Ｂ）の側面フレーム（１）には、回転支柱（３）の垂直軸（３ａ）を略水平状態から直立状態へと回動させたとき、前記回転支柱（３）の垂直軸（３ａ）が直立状態となったら軸受部（４）側の一部が突き当たって停止する垂直ストッパー（１７）を有し、前記ベッド（Ｂ）の側面フレーム（１）と前記垂直軸（３ａ）を受ける軸受部（４）との間には、レバー（２５）の操作によりその垂直軸（３ａ）の逆戻り転倒を停止可能とするとともに該レバー（２５）の操作により前記垂直軸（３ａ）の逆戻り転倒の停止を解除可能とする固定・解除機構（２７）を設けて成り、
前記水平軸棒（３ｂ）には滑車（５）を取着してロープ（６）を吊り、そのロープ（６）の先端部には被介護者（Ｃ）を載せるブランコ型の帯席（７）を着脱可能に吊るとともに基端部はベッド（Ｂ）の下部に設けたウインチ（１２）に巻き着け、そのウインチ（１２）の駆動モーター（１１）からそのモーター（１１）の電源回路に組込だフットスイッチ（１４）を導出して足踏み動作により前記帯席（７）の昇降制御ができるようにして成るベッドにおける被介護者吊り移動装置。
【請求項３】
直立保持機構（９）が、
ベッド（Ｂ）の側面フレーム（１）には、回転支柱（３）の垂直軸（３ａ）を略水平状態から直立状態へと回動させたとき、前記回転支柱（３）の垂直軸（３ａ）が直立状態となったら軸受部（４）側の一部が突き当たって停止する垂直ストッパー（１７）を有し、
前記ベッド（Ｂ）の側面フレーム（１）と前記垂直軸（３ａ）を受ける軸受部（４）との間には、レバー（１８）の操作によりその垂直軸（３ａ）の逆戻り転倒を停止可能とするとともに該レバー（１８）の操作により前記垂直軸（３ａ）の逆戻り転倒の停止を解除可能とする固定・解除機構（１９）を設けて成る請求項１に記載のベッドにおける被介護者吊り移動装置。
【請求項４】
回転支柱（３）の垂直軸（３ａ）の中間高さ部位に手摺棒（２０）又はプレート（２３）を水平に取着して成る請求項１乃至３のうちいずれか一項に記載のベッドにおける被介護者吊り移動装置。
【請求項５】
回転支柱（３）に吊られたロープ（６）先端部に設けられた係脱具（１０）に、リハビリ用吊り輪（２１）又は照明灯（２２）が吊れるようにして成る請求項１乃至４のうちいずれか一項に記載のベッドにおける被介護者吊り移動装置。
【発明の詳細な説明】
【０００１】
【発明が属する技術分野】
本発明は、介護者が身体の不自由な被介護者をベッドから車椅子などに移動する際に、介護者の肉体的負担を軽減するために、被介護者を吊って体重を支えて移動する装置に関する。
【０００２】
【従来の技術】
障害者擁護施設や介護老人ホームなどの介護施設における身体の不自由な人の介護において、体重が５０〜７０ｋｇもある被介護者をベッドから車椅子などへ往復移動させるのは介護者にとって肉体的負担は大きいものがある。
近年、老人人口の増加にしたがい、ホームに受け入れる老齢者数が増加し、この増加に対してホームの介護者の数が追いつかず、介護者一人当たりの被介護者数が増々増えつつあり、その分介護者にとっては仕事量が増加して負担が益々大きくなっている。
現在、介護者は殆どが体力的に弱い女性であり、このために数ヶ月乃至数年で殆どの者が腰痛に罹ってしまう。たとえ体力的に優れた人でも１０年間介護の仕事を続けることができない過酷な実態がある。
【０００３】
このために、少しでも介護者の肉体的負担を軽減しようとして各種の介護装置が提案されている。
例えば、特開平７−２３７８９９に示されているような、移動式クレーン装置が提供されている。この装置では転倒しないようにするため移動台の幅を大きくとらなければならず、室内に用いるものとしては全体として大掛かりなものとなってしまい、格納するために大きなスペースを用意しなければならない難点がある。
【０００４】
また、その装置を各ベッドへ移動することは室内の狭い場所では容易なことではなく、その移動にも多くの時間を要していた。
上記の事情から介護者は大変に忙しい上に、さらに同じようなサービス（例えば、食事や集団リハビリなど）を同時的に行う場合が多く、その時には短時間に集中して仕事をこなさなくてはならない。このため、一人の被介護者を移動させるための時間はたとえ数分、数秒であっても被介護者の数が多くなると予定時間に間に合わなくなる場合も多々あった。
このために、移動式の装置が各部屋毎に配備されていも、実際にはそれを使用する余裕のないのが現状であって、せっかく置いてある装置が有効に使用されずに邪魔物扱いされているのが実情である。
【０００５】
また、特開平３−９４７５２に示されているような天井や床面への固定式介護装置も提供されている。しかし、その装置は狭い室内の有効利用などのためにベッドを移動したり、増設したりしたい場合などには即応できない難点がある。
特に、それらの装置はいずれも、介護者の負担を軽減するという点では、被介護者の体重を支えられれば充分なのに、水平移動も機械的にしてしまう構造になっているので、それが移動時間を増加させる要因になっている。
そのために、このような装置も、室内に設置されていたとしても、被介護者の移動に時間がかかるので使用されずに放置されていることが多い。そして、装置を使用せずに、手っ取り早く被介護者を抱いて移動しているのが実情である。
【０００６】
さらにこれまでの装置は、不要となった時に、狭い室内に大きな空間を占拠し、ベッド数を増やそうとしても障害となり、また各種の介護サービス作業を行うにしても円滑な作業を妨げる要因となっていた。
また、被介護者は身体が不自由であっても、できるだけリハビリすることが機能回復の近道であるが、これまでの移動装置にはリハビリ機能がなく、ベッドにその装置が設置されていても、それを使用しての自発主的なリハビリが行えなかった。
これまのベッド上の生活は、症状の悪化を助長するような暗さと無気力さが漂い、被護者に積極的に生きる喜びを感じさせ回復を早めようとするための配慮が欠けていた。
【０００７】
【発明が解決しようとする課題】
本発明は、上記実情に鑑みてなされたもので、被介護者を吊って体重を支え、介護者への体重負担だけを軽減し、水平移動は被介護者を抱いて極めて短時間に手っ取り早く状況判断で自由に移動でき、併せて症状の度合いに応じて自主的にリハビリが行え、不要な時には簡単にベッド側面下に格納できる吊り移動装置を提供するものである。
【０００８】
【課題を解決するための手段】
上記課題を解決するために、請求項１に記載の被介護者吊り移動装置発明は、ベッドＢの側面フレーム１の中間部位に軸受部４を有するホルダー２を設けて、該ホルダー２に、上部半径方向に水平軸棒３ｂを突設した逆Ｌ字型回転支柱３の垂直軸３ａの下部を、前記垂直軸３ａと前記軸受部４との間に設けた回動機構４ａを介して前記水平軸棒３ｂを垂直軸３ａを中心として回動自在に保持する。
前記ホルダー２には、前記側面フレーム１に対して前記垂直軸３ａが直立状態と前記側面フレーム１に添って略水平状態とになるように、前記垂直軸３ａを保持した前記軸受部４の下部に設けた枢支部１６ａを前記ホルダー２に設けた枢支部１５ａに枢支して、該枢支部１５ａを中心として回動可能とする転倒機構８と、前記側面フレーム１に対して前記垂直軸３ａを直立状態に保持可能とする直立保持機構９とを備える。
【０００９】
前記水平軸棒３ｂには滑車５を取着してロープ６を吊り、そのロープ６の先端部には被介護者Ｃを載せるブランコ型の帯席７を着脱可能に吊るとともに基端部はベッドＢの下部に設けたウインチ１２に巻き着け、そのウインチ１２の駆動モーター１１からそのモーター１１の電源回路に組込だフットスイッチ１４を導出して足踏み動作により前記帯席７の昇降制御ができるようにして成るものである。
【００１０】
請求項２に記載の被介護者吊り移動装置は、ベッドＢの側面フレーム１の中間部位に軸受部４を設けて、該軸受部４に、上部半径方向に水平軸棒３ｂを突設した逆Ｌ字型回転支柱３の垂直軸３ａの下部を、前記垂直軸３ａと前記軸受部４との間に設けた回動機構４ａを介して前記水平軸棒３ｂを垂直軸３ａを中心として回動自在に保持する。
前記軸受部４には、前記側面フレーム１に対して前記垂直軸３ａが直立状態と前記側面フレーム１に添って略水平状態とになるように、前記垂直軸３ａを保持した前記軸受部４の下部をベッドＢの底面に向けて直角に折り曲げて該折り曲げられた部分に枢支部１６を設けるとともに該枢支部１６をベッドＢ底面のフレームに設けた枢支部１５に枢支して、該枢支部１５を中心として回動可能とする転倒機構８と、前記側面フレーム１に対して前記垂直軸３ａを直立状態に保持可能とする直立保持機構９とを備える。
前記直立保持機構（９）は、ベッド（Ｂ）の側面フレーム（１）には、回転支柱（３）の垂直軸（３ａ）を略水平状態から直立状態へと回動させたとき、前記回転支柱（３）の垂直軸（３ａ）が直立状態となったら軸受部（４）側の一部が突き当たって停止する垂直ストッパー（１７）を有し、前記ベッド（Ｂ）の側面フレーム（１）と前記垂直軸（３ａ）を受ける軸受部（４）との間には、レバー（２５）の操作によりその垂直軸（３ａ）の逆戻り転倒を停止可能とするとともに該レバー（２５）の操作により前記垂直軸（３ａ）の逆戻り転倒の停止を解除可能とする固定・解除機構（２７）を設けて成る。
前記水平軸棒３ｂには滑車５を取着してロープ６を吊り、そのロープ６の先端部には被介護者Ｃを載せるブランコ型の帯席７を着脱可能に吊るとともに基端部はベッドＢの下部に設けたウインチ１２に巻き着け、そのウインチ１２の駆動モーター１１からそのモーター１１の電源回路に組込だフットスイッチ１４を導出して足踏み動作により前記帯席７の昇降制御ができるようにして成るものである。
【００１１】
請求項３に記載の被介護者吊り移動装置は、上記発明の構成において、前記直立保持機構９が、ベッドＢの側面フレーム１には、回転支柱３の垂直軸３ａを略水平状態から直立状態へと回動させたとき、前記回転支柱３の垂直軸３ａが直立状態となったら軸受部４側の一部が突き当たって停止する垂直ストッパー１７を有し、前記ベッドＢの側面フレーム１と前記垂直軸３ａを受ける軸受部４との間には、レバー１８の操作によりその垂直軸３ａの逆戻り転倒を停止可能とするとともに該レバー１８の操作により前記垂直軸３ａの逆戻り転倒の停止を解除可能とする固定・解除機構１９を設けて成るものである。
【００１２】
さらにまた、上記構成において、前記回転支柱３の垂直軸３ａの中間高さ部位に手摺棒２０  又はプレート２３を水平に取着して成るものである。
【００１３】
またさらに、上記構成において、前記回転支柱３に吊られたロープ６先端部に設けられた係脱具１０に、リハビリ用吊り輪２１又は照明灯２２が吊れるようにして成るものである。
【００１４】
【発明の実施の形態】
本発明のベッドにおける被介護者吊り移動装置の実施の形態を、図の実施例で以下詳しく説明する。
【００１５】
本発明は、図１に示すように、ベッドＢの側面フレーム１の中間部位に垂直軸３ａを垂直状態に直立保持する直立保持機構９とその垂直軸３ａを側面フレーム１に沿って垂直状態から略水平状態に転倒できるように転倒機構８を備えた軸受部４を有するホルダー２を設ける。
そして、中間に間隔を置いて２個の滑車５，５を取着した水平軸棒３ｂを上部半径方向に突設した逆Ｌ字型回転支柱３の垂直軸３ａの下部を、前記垂直軸３ａ又は前記軸受部４に設けた回動機構４ａを介して前記水平軸棒３ｂが垂直軸３ａを中心として回動自在に前記ホルダー２に保持させる。
前記回動機構４ａにはベアリングなどを用いて、抵抗なく円滑に軸回転できるようにすると良い。
【００１６】
前記水平軸棒３ｂの滑車５，５には２本のロープ６，６を吊り、図２に示すように、それらのロープ６，６の先端部にはフック状の係脱具１０，１０を介して被介護者Ｃを載せるブランコ型の帯席７を着脱可能に吊るとともにロープ６，６の基端部はベッドＢの下部に設けたウインチ１２に巻き着ける。
そして、前記ウインチ１２の駆動モーター１１の電源回路に延長電気コード１３を介してそのウインチ１２の駆動操作をするフットスイッチ１４を設ける。そのスイッチ１４のオンオフで前記帯席７の昇降制御ができるようにする。
【００１７】
前記帯席７は、図１では２個の滑車５，５に２本のロープ６，６で吊られた態様を示しているが、他に１個の滑車５にロープ６の先が二股に分かれてブランコ型を成す帯席７を吊る態様や、３個の滑車５に３本のロープ６，６を掛けてその先に三股に分かれた帯席７を吊る態様も可能である。
【００１８】
図４に示すように、前記転倒機構８ａとしては、ホルダー２のベッドＢの側面フレーム１への取着部側に設けた枢支部１５ａにホルダー２の軸受部４側に設けた枢支部１６ａが枢着され、回転支柱３を直立状態（図４の（イ）に示す）と略水平状態（図４の（ロ）に示す）とに回動してその回転支柱３が転倒できるようにした形態が可能である。
【００１９】
また別の形態の前記転倒機構８は、図５に示すように、ベッドＢ底面のフレームに設けた枢支部１５に軸受部４の折り曲げられた部分に設けた枢支部１６が枢着され、回転支柱３を直立状態と略水平状態（図３に示す）とに擺動して転倒できるようにする。
【００２０】
そして、図３に示すように、垂直軸３ａを転倒させたら前記水平軸棒３ｂを動させてベッドＢ端部の手摺支柱Ｔの下部に水平に添わせ格納される。ロープ６から外した帯席７は箱に入れてベッドＢの下などに収納しておけば良い。
前記垂直軸３ａには、中間部位に長さ調節機構（図省略）を設けてその全体の長さを伸縮調整できるようにしても良い。
【００２１】
そして、図４に示すように、前記直立保持機構９は、ホルダー２のベッドＢの側面フレーム１への取着部側には、回転支柱３の垂直軸３ａを略水平状態から直立状態へと回動させたとき、前記回転支柱３の垂直軸３ａが直立状態となったらホルダー２の軸受部４側の一部が突き当たって停止する垂直ストッパー１７を有し、前記ホルダー２のベッドＢの側面フレーム１への取着部側と該ホルダー２の軸受部４側との間には、該軸受部４に設けたレバー１８の押し引き操作により、該レバー１８の一部と該軸受部４とで前記垂直ストッパー１７を挟んで固定することでその垂直軸３ａの逆戻り転倒を停止可能とするとともに該レバー１８の引き戻し操作により前記垂直軸３ａの逆戻り転倒の停止を解除可能とする固定・解除機構１９を設けたものが可能である。
【００２２】
前記転倒機構８及び直立保持機構９は、他にも各種形態が可能であり、他の一例としては、図５に示すように、垂直軸３ａの軸受部４の下部を直角に折り曲げ（折曲部分を符号２６で示す）て、その折り曲げられた部分をベッドの底面側に回転可能に支持して成る転倒機構８と、その垂直軸３ａの逆戻りを停止させ且つレバー２５の操作により垂直軸３ａの逆戻りを停止する垂直ストッパー兼固定・解除機構２７を設けた形態も可能である。
【００２３】
そして、回転支柱３が不用で邪魔な時には、図３に示すように、回転支柱３を転倒させて、ベッドＢ端部の手摺支柱Ｔの下部に水平に格納されば良い。
そのベッドＢでのリハビリ用として、図６に示すように、前記回転支柱３の垂直軸３ａの中間高さ部位に手摺棒２０を水平に着脱可能に設けたり、また前記回転支柱３に吊られたロープ６先端部に設けられた係脱具１０にリハビリ用吊り輪２１を設けたりすることももできる。
さらに、図７に示すように、ベッドＢでのリハビリ用として、図６に示すように、前記回転支柱３の垂直軸３ａの中間高さ部位にプレート２３を水平に設け、また回転支柱３に吊られたロープ６先端部に設けられた係脱具１０に照明灯２２を高さ調節可能に吊れるようにすることもできる。
【００２４】
【使用方法及び作用】
次に使用方法を図２で説明する。
まず、回転支柱３の垂直軸３ａをホルダー２の軸受部４に直立させて、その軸受部４を垂直ストッパー１７に突き当て、固定・解除機構１９のレバー１８を固定状態に掛ける。
そして、帯席７を被介護者Ｃの股に通し、ロープ６を緩めて繰り出し、その先端を下げて帯席７の両端をフック状の係脱具１０，１０で連結する。
そして、フットスイッチ１４の引き上げボタンを足で押してロープ６，６をウインチ１２に巻き上げて被介護者Ｃを回転支柱３に吊り上げて体重を支える（図２のベッド上の一点鎖線に示す）。
【００２５】
この状態で介護者Ａが被介護者Ｃを抱えて引き寄せる。すると回転支柱３の垂直軸３ａは回動機構４ａによって引き寄せられるままに回転する。
そして、被介護者Ｃが車椅子Ｋの上まで至ったら、回転を停止させ、抱いたままフットスイッチ１４の下ろしボタンを足で押してウインチ１２を逆転、巻き戻しして被介護者Ｃを車椅子Ｋの座席に降ろす。
このとき足腰に体重が掛からずに、且つこの間の水平移動時間は、ほんの数秒間で素早く行える。
そして、帯席７両端をロープ６，６の係脱具１０，１０を外して分離いる。被介護者Ｃからは帯席７を外さずにそのままにしておく。
【００２６】
用事が済んでベッドＢに戻る時には、外したままになっている帯席７の両端をロープ６，６の係脱具１０，１０に接続して、ベッドＢから降ろした時の上記手順と逆手順を行ってベッド上に被介護者Ｃを戻す。
【００２７】
ベッドＢ上では、手摺棒２０を設けた態様では、捕まり運動を、またロープ６にリハビリ用吊り輪２１を装着しておけば、単独で何時でも自主的にぶら下がり運動などのリハビリを行うことができる。
また、ベッドＢ上を照明灯２２で明るくして、プレート２３上で読書、食事や軽い手作業などの趣味性のある生活を楽しむための生活機能を付加することもできる。
【００２８】
そして、身体機能が回復して、自力移動ができるようになったら、回転支柱３は簡単に転倒できるので、固定・解除機構１９のレバー１８を解除して回転支柱３を倒し、図３に示すように、目立たないようにベッドＢの横に格納し、帯席７などは箱などに入れてベッドＢの下に格納して置けば良い。そして再度必要となったときに直立させて、すぐに使用することができる。
【００２９】
【発明の効果】
本発明は以上のようで回転支柱３に被介護者を吊って体重を支えて介護者への体重負担だけを軽減し、水平移動は被介護者を抱いた介護者が状況判断で自由に行える。しかも短時間に手っ取り早く楽に被介護者を移動させることが可能となった。
また、その際に、抱いて移動を行うのでスキンシップが保持され、機械を介在させても人間味が損なわれることきない。
【００３０】
さらに、リハビリ器具など各種器具を取り着ければ、ベッドＢの上で、障害の度合いに応じてリハビリ運動が自発的に行えるようになった。そして、一つのベッドＢで、介護のランク、即ち全介助、半介助、虚弱自立までの障害度に対応して自立支援しつつ介護を行うことが可能とり、また、ベッド上の生活において、環境を明るくし、読書や手芸など肉体的には軽いものではあるが、人間としての精神的、文化的な生活を回復し、積極的に生きる喜びを味わえるようになった。
しかも、全体として、簡単な構造なので安価に製造提供できる利点がある。
【００３１】
特に本発明は、機能が回復したり、使用者が変わったりして不要となったら、何時でも簡単に倒してベッドＢの側面下に格納することができるので、これまでの装置のように、いつまでも目障りになったり、格納空間を占拠したり、また介護作業の障害となったりすることはすべて解消される。
【図面の簡単な説明】
【図１】本発明の回転支柱が直立状態を示す斜視図。
【図２】被介護者を移動する状態を示す斜視図。
【図３】回転支柱がベッドに格納された状態を示す斜視図。
【図４】（イ）が、回転支柱が直立状態、（ロ）が、回転支柱が水平状態を示す、ホルダーの要部を示す斜視図。
【図５】ホルダーの要部を示す斜視図。
【図６】リハビリ機能を設けた形態を示す斜視図。
【図７】生活機能を設けた形態を示す斜視図。
【符号の説明】
１    ベッドの側面フレーム
２    ホルダー
３    回転支柱
３ｂ  水平軸
３ａ  垂直軸
４    軸受部
４ａ  回動機構
５    滑車
６    ロープ
７    帯席
８    転倒機構
９    直立保持機構
１０    係脱具
１１    モーター
１２    ウインチ
１３    延長電気コード
１４    フットスイッチ
１５    枢支部
１６    枢支部
１７    垂直ストッパー
１８    レバー
１９    固定・解除機構
２０    手摺棒
２１    リハビリ用吊り輪
２２    照明電灯
２３    プレート
２４    回転環
２５    レバー
２６    屈曲部分
２７    垂直ストッパー兼固定・解除機構
Ａ    介護者
Ｂ    ベッド
Ｃ    被介護者
Ｋ    車椅子
【図１】
0004596589.tif 000002
【図２】
0004596589.tif 000003
【図３】
0004596589.tif 000004
【図４】
0004596589.tif 000005
【図５】
0004596589.tif 000006
【図６】
0004596589.tif 000007
【図７】
0004596589.tif 000008